(57)【要約】      （修正有）【課題】地震災害時、家屋等倒壊、家具転倒、落下などから身を護るシェルターを提供する。【解決手段】モノコック構造のシェルターであって、差し込み方式で伸縮可能構造のベース２を組み立て、６本のフレーム１ａ、１ｂ，１ｃ，１ｄ，１ｅ，１ｆをベース２に取り付けられている。組み立てられたフレームの頂部にセンターステイ３を取付け、頭部をガードする為のサイドステイ４を、そして頭部カバー５を取り付けて完成する。１ａと１ｂのフレームは頭部シェルターとして独立構造とし、出入りしやすいように開閉できる構造としている。【選択図】図１
0003115937.tif 000002
【実用新案登録請求の範囲】
【請求項１】
地震発生時に、建て家の倒壊、家具など転倒、落下などから身を護るための、剛性金属製パイプなどで湾曲に形成されたフレーム状の外圧からの耐力を得るためのモノコック構造。
【請求項２】
簡単に脱着可能なるよう、ベースにソケットを付けておくことなど、部品を差し込み、組み立て容易で、固定できるようにしたこと。
【請求項３】
頭部シェルを不安感をなくすために十分に広く、頭部構造の強度を増加させ、ガラスや小型の落下物から頭部を護るため頭部カバーを装備、かつ、この部分は内部に出入り容易なるよう開閉できるようにしたこと。
【請求項４】
使用する場合、布団やカバーを掛けることや、組み込むで、落下物などのクッションとなることの他、病気などで布団の圧迫からの解放や、保温、温度管理にも寄与できるようにしたこと。
【請求項５】
頭部カバーにて内部から見えるが外部から見えにくく、余震の恐れあるなどの場合の避難所などでプライバシーの確保が可能で、熟睡できるようにしたこと。
【請求項６】
折り畳み可能構造であり、鋼管での軽量化により携帯性を有し、収納や移動が容易であるようにしたこと。
【考案の詳細な説明】
【技術分野】
【０００１】本考案は、地震などの災害時の倒壊、落下物などから、個人の身を護る為の方法と装置。
【背景技術】
【０００２】従来、地震などで家屋や家具の倒壊や落下を防ぐ方法は、過去の経験などから予測される地震の大きさなどから、建て家構造の耐震構造設計、補強、家具などの倒壊、転倒防止策などがあった。個人においては、ヘルメット、防災頭巾などで頭部を護るものがあった。
更に、本震後の避難中、余震による二次災害から身を護る必要があり、ダメージを受けた家屋などではゆっくり睡眠が出来ず、ライフラインの破壊などで寒さからの保護対応にも問題があり、仮設のテントや、自動車の中での生活を余儀なくさせられていた。
【考案の開示】
【考案が解決しようとする課題】
【０００３】多発する地震災害時に家屋倒壊、落下物などで失う人命や怪我に対する対応策は無く、加えて余震などで避難する場合も避難所での命を護る保証は無く、マイカーやテントなどでの避難生活を余儀なくされている。車内での就寝はエコノミークラス症候群や暖房による一酸化炭素中毒や酸素欠乏などの問題も起こる。
家庭の中での対応策としては、家具などに転倒防止策などを対処しているものの震度の大きさなどによっては、役に立たない場合が多かった。地震発生の場合頭部を護る方法としては、机の下に隠れる、ヘルメットや頭巾を被るなどの方法もあるが、夜間などの就寝中は成すすべがなかった。
尚、日中の災害発生の場合より、夜間就寝中の場合の死亡率が圧倒的に多いとされている。
【課題を解決するための手段】
【０００４】本考案は、夜間などの就寝中に地震が発生した場合の命を護るためのものであり、加えて避難時に、安心して、避難所などでの休息や安眠を、加えてプライバシーの保護をも確保する為のものである。
その手段は、就寝する場合のシェルターと言えるものであり、外圧に強いかまぼこ型を形成するフレーム構造の中で就寝するもので、家庭で、各人が布団と共に設置する簡単なものであり、安価なものである。
尚且つ、組み立て、設置し易いシンプル構造、シェルター内への出入りも簡単構造とした。
【考案の効果】
【０００５】倒壊しない家屋への対応や，家具などの転倒防止策などは言うまでも無いものの、何時発生するかわからない地震に対し、ヘルメットや防災頭巾を装着して就寝することは不可能に近い。本考案によるシェルターは、敷布団の上に載せ、掛け布を掛けて、人間がその間に寝るだけであり、それ以外の必要は無く、もし家屋や、家具が倒壊転倒して、身体の上に落下しても圧死や怪我を負うことが無く、しかも十分な隙間があるので、多少の寝返りも可能で、むしろ寝返りなどでの布団の外れなどもなく保温効果も高く、安眠が約束される効果を生むこととなる。頭部上面には、ガラスや、細かいごみなどが顔面に落下するのを防止するために、頭部カバーで保護できるようにしている。外部から見難く避難所などではプライバシー保護効果を有する。更には、お年寄りや、病人などの布団による身体の圧迫を防止する医学的効果をも有する。
【考案を実施するための最良の形態】
【０００６】構造の概要は、半円状に曲げた金属製フレームを、かまぼこ状に組み立てた、頭部側幅約７００ミリメートル、足側幅約６４０ミリメートル長さ約２，０００ミリメートル高さ約４８０ミリメートルの形状であり、その強度は外圧に強いモノコック構造であり、組み立ても容易で簡単に運搬も可能なものである。
【実施例】
【０００７】外圧による衝撃を防止する為のフレーム１は、材質を鋼製とし組み立て時に弾性限界内で曲げ金属製である両側のベースに取り付けられたフレームソケットに差込み組み立てられる。
図面で説明すれば、図１に示す如く、差し込み式で伸縮可能構造のベース２を組み立て、６本のフレーム１ａ、１ｂ、１ｃ、１ｄ、１ｅ、１ｆをベース２に取り付けられている。組み立てられたフレームの頂部にセンタースティ３を取り付け、頭部をガードする為のサイドステイ４を、そして頭部カバー５を取り付けて完成する。１ａと１ｂのフレームは頭部シェルターとして独立構造とし、出入りしやすいように開閉できる構造としている。
図２に示す如く布団を掛けて使用するものであり、この状態で部屋の中のタンス、本棚などの重量のある家具や電気製品、照明電気、額縁などが転倒、落下しても潰れない強度を保持する為に、フレームは鋼管６Ａ（φ１０．５×２ｔ）とし、間隔を４００ミリメートルとし、組み立て時に曲げて接続する事で弾性を有しており、外力からの強度を考慮したものである。
このことは、解体時、長さ１メートル以内に折り畳めることで収納や輸送時に都合が良い。
組み立て方式は、ワンタッチで展開可能な構造にすることも容易である。
【産業上の利用可能性】
【０００８】地震が頻繁に発生する我が国に於いて、自分の身を護る方法と物は必至と思われる。
耐震構造への家屋の改良などは高価で手が出ない場合が多く、大袈裟なコンクリート製のシェルターも同様であり、家具類の固定方法にも限界があり、ヘルメットや防災頭巾も、一日の１／３の就寝中には役に立たない。
本考案による家庭用で個人用のシェルターは、誰もが用いる布団をも防災グッズに応用するものであり、例え家屋が全倒壊して埋まっても、生き延びる空間を確保可能とするものである。余震のための避難所でも安全と、プライバシーの保護は欠かすことが出来ない
更には、老人、病人の中でも身体圧迫しない、尚且つ外部からの温度保持，保温効果などを発揮する。生産方法も自然に優しく還元可能な汎用鋼製のパイプであり、入手容易、コストも安価である。
【図面の簡単な説明】
【０００９】
【図１】図１は、組み立てた状態を示すもので、１（ａ、ｂ、ｃ、ｄ、ｅ、ｆ）のフレームを、２のベースに差込み、３のセンタースティでフレームを固定し、４のサイドスティを取り付け、５の頭部カバーを取り付けることで、外圧に強いモノコック構造体ができる。
【図２】図２は、使用中の側面図であり、１はフレーム、６は布団である。
【符号の説明】
【００１０】１（ａ、ｂ、ｃ、ｄ、ｅ、ｆ）はフレームである。
２はベース、３はセンタースティ、４はサイドスティ、５は頭部カバー、６は布団である。
【図１】
0003115937.tif 000003
【図２】
0003115937.tif 000004
【手続補正書】
【提出日】平成17年7月25日(2005.7.25)
【手続補正１】
【補正対象書類名】実用新案登録請求の範囲
【補正対象項目名】全文
【補正方法】変更
【補正の内容】
【実用新案登録請求の範囲】
【請求項１】
地震発生時に、建て家の倒壊、家具などの転倒、落下物などから身を護るための剛性金属製パイプなどで湾曲に形成されたフレーム状の外圧からの耐力を得るためのモノコック構造。
【請求項２】
内部への出入りが簡単に出来るように頭部部分のカバーが開閉できる構造とし、余震など避難所でのプライバシーの確保や、病気などでの布団の圧迫からの開放が期待できるなどの特徴を有する請求項１記載のモノコック構造。